(57)【特許請求の範囲】
【請求項１】
一次著作物コンテンツを記憶するとともに、前記一次著作物コンテンツから引用した著作物データと、前記著作物データではない他のデータと、前記一次著作物コンテンツの識別情報と、前記著作物データの引用先となる設定位置を示す第１の設定位置情報と、を含む第１のｎ次著作物コンテンツ（ｎは２以上の整数）を記憶する記憶部と、
前記第１のｎ次著作物コンテンツから第２のｎ次著作物コンテンツを作成する作成部と、
前記一次著作物コンテンツが前記記憶部に有効に記憶されている場合に、前記第１のｎ次著作物コンテンツおよび前記第２のｎ次著作物コンテンツにおける前記著作物データを再生可能にする再生部と、を有し、
前記作成部は、前記第１のｎ次著作物コンテンツからの引用範囲の指定を受け付け、前記引用範囲内に前記著作物データおよび前記他のデータが含まれている場合、前記引用範囲内の前記著作物データおよび前記他のデータを前記第２のｎ次著作物コンテンツに設定するとともに、前記識別情報と、前記引用範囲内の前記著作物データの引用先となる前記第２のｎ次著作物コンテンツ内の設定位置を示す第２の設定位置情報とを、前記第２のｎ次著作物コンテンツに関連付けて前記記憶部に記憶する、
ことを特徴とする情報処理装置。
【請求項２】
請求項１に記載の情報処理装置であって、
前記再生部は、前記一次著作物コンテンツが前記記憶部に記憶され、かつ、前記一次著作物コンテンツの利用期間内または前記一次著作物コンテンツへのアクセス権が存在する場合に、前記第１のｎ次著作物コンテンツおよび前記第２のｎ次著作物コンテンツを再生可能にする、ことを特徴とする情報処理装置。
【請求項３】
記憶部と作成部と再生部とを有する情報処理装置による情報処理方法であって、
前記記憶部は、一次著作物コンテンツを記憶するとともに、前記一次著作物コンテンツから引用した著作物データと、前記著作物データではない他のデータと、前記一次著作物コンテンツの識別情報と、前記著作物データの引用先となる設定位置を示す第１の設定位置情報と、を含む第１のｎ次著作物コンテンツ（ｎは２以上の整数）を記憶しており、
前記作成部は、前記第１のｎ次著作物コンテンツから第２のｎ次著作物コンテンツを作成し、
前記再生部は、前記一次著作物コンテンツが前記記憶部に有効に記憶されている場合に、前記第１のｎ次著作物コンテンツおよび前記第２のｎ次著作物コンテンツにおける前記著作物データを再生可能にし、
前記作成部は、前記第１のｎ次著作物コンテンツからの引用範囲の指定を受け付け、前記引用範囲内に前記著作物データおよび前記他のデータが含まれている場合、前記引用範囲内の前記著作物データおよび前記他のデータを前記第２のｎ次著作物コンテンツに設定するとともに、前記識別情報と、前記引用範囲内の前記著作物データの引用先となる前記第２のｎ次著作物コンテンツ内の設定位置を示す第２の設定位置情報とを、前記第２のｎ次著作物コンテンツに関連付けて前記記憶部に記憶する、
ことを特徴とする情報処理方法。
【発明の詳細な説明】
【技術分野】
【０００１】
本発明は、情報を設定する情報処理装置、設定方法、および設定プログラムと、情報を再生する情報処理装置、再生方法、および再生プログラムに関する。
【背景技術】
【０００２】
１次著作物の著作権者の利益を保護するために、２次著作物を作成する際には、２次著作物を利用する者は、基本的には、１次著作物の著作権者の国籍を調査し、日本国民であった場合は１次著作物の保護期間を確認し、保護期間内であれば利用許諾範囲を確認し、利用に許諾が必要な場合は、１次著作物の著作権者に連絡を取って利用許諾を得るという一連の手続きを行わなければならない。
【０００３】
また、２次著作物を作成するシステムが公開されている（下記特許文献１を参照。）。当該システムは、コンテンツの構成単位で部品素材として分割し、各部品素材を識別する識別子及び部品素材の使用許諾範囲を示す引用可否情報を含んだ部品素材情報を、２次著作物の引用著作物情報として記憶するデータベースに保管し、引用可能な部品素材を選択する。
【先行技術文献】
【特許文献】
【０００４】
【特許文献１】特開２００４−１１８３２４号公報
【発明の概要】
【発明が解決しようとする課題】
【０００５】
１次著作物を利用した２次著作物の作成には上述した一連の手続きが必要であるが、２次著作物の作成者にとって一連の手続きは煩雑である。また、営利目的または報酬を受け取る場合、著作物を映し出して公開する行為は著作権の上映権の侵害に当たる。誤認識や過失による違法行為は、利用者にとっても著作権者にとっても不利益であり、避けたい事象である。
【０００６】
また、特許文献１のシステムでは、著作物の構成単位である各部品素材に引用可否情報を設定するため、著作権者にとって煩わしい。また、著作物をどのような単位で部品素材とするか決めるのは、２次著作物の作成者である引用者が引用する単位で準備せねばならず、且つ、引用者が引用する範囲も事前には分からないため、現実的に困難である。さらに、引用者が引用したい単位で部品素材が提供されていなかった場合、引用部分に過不足が発生するため、２次利用の阻害要因になる。
【０００７】
本発明は、１次著作物の２次（３次以降も含む）利用時に１次著作物の著作権者の利益の保護、および利用者の利便性の向上を図ることを目的とする。
【課題を解決するための手段】
【０００８】
本願において開示される発明の一側面となる情報処理装置は、一次著作物コンテンツを記憶するとともに、前記一次著作物コンテンツから引用した著作物データと、前記著作物データではない他のデータと、前記一次著作物コンテンツの識別情報と、前記著作物データの引用先となる設定位置を示す第１の設定位置情報と、を含む第１のｎ次著作物コンテンツ（ｎは２以上の整数）を記憶する記憶部と、前記第１のｎ次著作物コンテンツから第２のｎ次著作物コンテンツを作成する作成部と、前記一次著作物コンテンツが前記記憶部に有効に記憶されている場合に、前記第１のｎ次著作物コンテンツおよび前記第２のｎ次著作物コンテンツにおける前記著作物データを再生可能にする再生部と、を有し、前記作成部は、前記第１のｎ次著作物コンテンツからの引用範囲の指定を受け付け、前記引用範囲内に前記著作物データおよび前記他のデータが含まれている場合、前記引用範囲内の前記著作物データおよび前記他のデータを前記第２のｎ次著作物コンテンツに設定するとともに、前記識別情報と、前記引用範囲内の前記著作物データの引用先となる前記第２のｎ次著作物コンテンツ内の設定位置を示す第２の設定位置情報とを、前記第２のｎ次著作物コンテンツに関連付けて前記記憶部に記憶する、ことを特徴とする。
【発明の効果】
【００１０】
本発明の代表的な実施の形態によれば、１次著作物の２次（３次以降も含む）利用時に１次著作物の著作権者の利益の保護、および利用者の利便性の向上を図ることができる。前述した以外の課題、構成及び効果は、以下の実施例の説明により明らかにされる。
【図面の簡単な説明】
【００１１】
【図１】本実施例にかかる著作物データの活用例１を示す説明図である。
【図２】本実施例にかかる著作物データの活用例２を示す説明図である。
【図３】本実施例にかかる著作物データの活用例３を示す説明図である。
【図４】本実施例にかかる著作物データの活用例４を示す説明図である。
【図５】本実施例にかかる著作物データの活用例５を示す説明図である。
【図６】本実施例にかかる著作物データの活用例６を示す説明図である。
【図７】本実施例にかかる著作物データの活用例７を示す説明図である。
【図８】本実施例にかかる管理システムのシステム構成例を示す説明図である。
【図９】引用元著作物コンテンツの確認処理手順例を示すフローチャートである。
【図１０】再生選択著作物コンテンツの再生処理手順例を示すフローチャートである。
【図１１】ｎ次著作物コンテンツの作成処理手順例を示すフローチャートである。
【図１２】本実施例を適用した画面表示例を示す説明図である。
【発明を実施するための形態】
【００１２】
＜著作物データの活用例＞
本実施例では、１次著作物コンテンツ内の著作物データを、１次著作物コンテンツが格納された装置内において、新規作成のデータやｎ次著作物コンテンツに利用するプログラムや当該プログラムがインストールされた装置について説明する。ｎは２以上の整数である。なお、本明細書において、「再生」とは、記憶デバイスに記憶されている対象となるコンテンツやデータを出力することである。コンテンツまたはデータが映像や音声である場合には文字通り再生であり、文書や画像である場合には表示である。
【００１３】
１次著作物コンテンツとは、ある著作者により作成されたオリジナルのまたは複製された著作物コンテンツである。１次著作物コンテンツは、たとえば、ダウンロードサーバから装置にダウンロードすることにより取得される。また、１次著作物コンテンツは、可搬な記憶デバイスと接続することにより、可搬な記憶デバイスから装置に取得される。また、１次著作物コンテンツには、固有の識別子が付与されている。当該固有の識別子は、著作物コンテンツが１次著作物コンテンツであり、かつ、他の１次著作物コンテンツと区別するための識別情報である。当該固有の識別子は、１次著作物コンテンツの特定の保存領域に保存される。ｎ次著作物コンテンツ自体には、当該固有の識別子は付与されない。また、１次著作物コンテンツには、利用期限が設定されていてもよい。利用期限は、起算日と利用期間により定義されてもよく、利用期限の年月日により定義されてもよい。起算日は、たとえば、ダウンロードサーバから装置にダウンロードされた年月日である。
【００１４】
１次著作物コンテンツには、たとえば、電子書籍などの文書コンテンツ、映画などの映像コンテンツ、画像コンテンツ、楽曲データやオーディオブックなどの音声コンテンツがある。文書コンテンツには、画像データや映像データ、音声データが含まれてもよい。また、映像コンテンツや画像コンテンツ、音声コンテンツには、テキストデータが含まれてもよい。なお、ｎ次著作物コンテンツも同様である。また、映像コンテンツは、映像コンテンツが表示されたあと、利用者からの再生指示により映像再生が実行されることとしてもよい。他のコンテンツに含まれる映像データも同様である。また、音声コンテンツや音声データも同様である。
【００１５】
著作物データは、１次著作物コンテンツに含まれるデータであり、ｎ次著作物の作成者により選択される。新規作成のデータは、著作物データが利用、たとえば、貼付されると、２次著作物コンテンツとなる。ｎ次著作物コンテンツは、１次著作物コンテンツの著作物データが利用される著作物コンテンツである。利用される著作物データは、１次著作物コンテンツから直接引用されたデータでもよく、他のｎ次著作物コンテンツから間接的に引用されたデータでもよい。以下、本実施例にかかる著作物データの活用例について、図１〜図７を用いて説明する。
【００１６】
図１は、本実施例にかかる著作物データの活用例１を示す説明図である。図１〜図７は、ある端末Ｔでの著作物データの活用例を示す。端末Ｔには、１次著作物コンテンツＷＡ１が格納されている。端末Ｔは、端末Ｔの利用者の操作により、１次著作物コンテンツＷＡ１内の画像データＣＡ１を複製（コピー）する。画像データＣＡ１は、１次著作物コンテンツＷＡ１の著作物データである。また、端末Ｔは、端末Ｔの利用者の操作により、新規作成中または編集中のレポートデータＤ２を表示する。レポートデータは、文字入力や文字表示、画像、映像、音声に関するデータの貼付や再生が可能なデータである。端末Ｔは、端末Ｔの利用者の操作により、複製した画像データＣＡ１をレポートデータＤ２に貼付（ペースト）する。画像データＣＡ１が貼付されたレポートデータＤ２は、２次著作物コンテンツＷＡ２となる。端末Ｔは、１次著作物コンテンツＷＡ１の識別子ＷＡ１と２次著作物コンテンツＷＡ２上の画像データＣＡ１の貼付位置情報ＰＡ２とを画像データＣＡ１に関連付け、端末Ｔ内の記憶デバイスに格納する。これにより、１次著作物コンテンツＷＡ１の識別子ＷＡ１と貼付位置情報ＰＡ２とが関連付けられた画像データＣＡ１は、２次著作物コンテンツＷＡ２の一部となる。
【００１７】
このように、端末Ｔの利用者は、端末Ｔ内に１次著作物コンテンツＷＡ１を格納しておけば、１次著作物コンテンツＷＡ１内の著作物データ（画像データＣＡ１）を、利用手続きなしで利用することができる。したがって、端末Ｔの利用者の利便性の向上を図ることができる。また、１次著作物コンテンツＷＡ１の著作者は、１次著作物コンテンツＷＡ１が格納された端末Ｔでしか１次著作物コンテンツＷＡ１内の著作物データ（画像データＣＡ１）が利用できないため、１次著作物コンテンツＷＡ１の著作者の利益保護を図ることができる。
【００１８】
図２は、本実施例にかかる著作物データの活用例２を示す説明図である。活用例２は、活用例１で作成された２次著作物コンテンツＷＡ２から３次著作物コンテンツＷＡ３を作成する例である。なお、ｎ次著作物コンテンツを作成する場合、端末Ｔ内に１次著作物コンテンツＷＡ１が格納されていなければ、著作物データ（画像データＣＡ１）を引用することはできない。
【００１９】
端末Ｔには、１次著作物コンテンツＷＡ１および２次著作物コンテンツＷＡ２が格納されている。２次著作物コンテンツＷＡ２内の画像データＣＡ１は、引用元である１次著作物コンテンツＷＡ１が端末Ｔ内に存在する場合に限り、端末Ｔで再生可能である。
【００２０】
端末Ｔは、端末Ｔの利用者の操作により、２次著作物コンテンツＷＡ２内の画像データＣＡ１を複製（コピー）する。画像データＣＡ１には、１次著作物コンテンツＷＡ１の識別子ＷＡ１と２次著作物コンテンツＷＡ２上の画像データＣＡ１の貼付位置情報ＰＡ２とが関連付けられている。
【００２１】
また、端末Ｔは、端末Ｔの利用者の操作により、新規作成中または編集中のレポートデータＤ３を表示する。端末Ｔは、端末Ｔの利用者の操作により、２次著作物コンテンツＷＡ２から複製した画像データＣＡ１をレポートデータＤ３に貼付（ペースト）する。画像データＣＡ１が貼付されたレポートデータＤ３は、３次著作物コンテンツＷＡ３となる。端末Ｔは、１次著作物コンテンツＷＡ１の識別子ＷＡ１と３次著作物コンテンツＷＡ３上の画像データＣＡ１の貼付位置情報ＰＡ３とを画像データＣＡ１に関連付け、端末Ｔ内の記憶デバイスに格納する。これにより、１次著作物コンテンツＷＡ１の識別子ＷＡ１と貼付位置情報ＰＡ３とが関連付けられた画像データＣＡ１は、３次著作物コンテンツＷＡ３の一部となる。
【００２２】
このように、端末Ｔの利用者は、端末Ｔ内に１次著作物コンテンツＷＡ１を格納しておけば、１次著作物コンテンツＷＡ１内の著作物データ（画像データＣＡ１）を、利用手続きなしで利用することができる。したがって、端末Ｔの利用者の利便性の向上を図ることができる。
【００２３】
なお、画像データＣＡ１の引用元である２次著作物コンテンツＷＡ２は、図１に示したように端末Ｔ内で作成した著作物コンテンツでもよく、外部から取得した著作物コンテンツでもよい。いずれにしても、端末Ｔは、端末Ｔ内に１次著作物コンテンツＷＡ１と、１次著作物コンテンツＷＡ１の識別子ＷＡ１が付与された画像データＣＡ１を有する２次著作物コンテンツＷＡ２がなければ、画像データＣＡ１を利用することができない。したがって、著作者の利益保護を図ることができる。
【００２４】
図３は、本実施例にかかる著作物データの活用例３を示す説明図である。活用例３は、活用例１で作成された２次著作物コンテンツＷＡ２から３次著作物コンテンツＷＡ３を作成する例である。図２では、画像データＣＡ１が選択されたのに対し、図３では、任意の範囲Ｒ１が選択される。
【００２５】
端末Ｔは、端末Ｔの利用者の操作により、新規作成中または編集中のレポートデータＤ４を表示する。端末Ｔは、端末Ｔの利用者の操作により、２次著作物コンテンツＷＡ２の任意の範囲Ｒ１を選択する。範囲Ｒ１には、画像データＣＡ１と文字列３００が含まれる。文字列３００は、端末Ｔの利用者が入力したデータであり、１次著作物コンテンツから引用したデータではないものとする。
【００２６】
端末Ｔは、端末Ｔの利用者の操作により、範囲Ｒ１内のデータ（画像データＣＡ１と文字列３００）をレポートデータＤ４に貼付（ペースト）する。画像データＣＡ１が貼付されたレポートデータＤ４は、３次著作物コンテンツＷＡ３となる。端末Ｔは、１次著作物コンテンツＷＡ１の識別子ＷＡ１と３次著作物コンテンツＷＡ３上の画像データＣＡ１の貼付位置情報ＰＡ３とを画像データＣＡ１に関連付け、端末Ｔ内の記憶デバイスに格納する。なお、範囲Ｒ１内の文字列３００は、１次著作物コンテンツＷＡ１から引用したデータではないため、１次著作物コンテンツＷＡ１の識別子ＷＡ１や位置情報は付与されない。これにより、１次著作物コンテンツＷＡ１の識別子ＷＡ１と貼付位置情報ＰＡ３とが関連付けられた画像データＣＡ１は、３次著作物コンテンツＷＡ３の一部となる。
【００２７】
このように、端末Ｔの利用者は、範囲Ｒ１を選択した場合であっても、範囲Ｒ１内に著作物データ（画像データＣＡ１）が含まれていれば、その著作物データ（画像データＣＡ１）について、図２に示したように、管理することができる。すなわち、著作物データ（画像データＣＡ１）と非著作物データ（文字列３００）とを別々にコピー＆ペーストする必要がないため、利便性の向上を図ることができる。
【００２８】
図４は、本実施例にかかる著作物データの活用例４を示す説明図である。活用例４は、１次著作物コンテンツＷＢ１から２次著作物コンテンツＷＢ２を作成する例である。図１では、画像データＣＡ１が選択されたのに対し、図４では、任意の範囲Ｒ２が選択される。
【００２９】
端末Ｔは、端末Ｔの利用者の操作により、新規作成中または編集中のレポートデータＤ５を表示する。端末Ｔは、端末Ｔの利用者の操作により、１次著作物コンテンツＷＢ１の任意の範囲Ｒ２を選択する。範囲Ｒ２には、画像データＣＡ１と文字列ＣＡ２が含まれる。文字列ＣＡ２も、１次著作物コンテンツＷＢ１の著作物データである。
【００３０】
端末Ｔは、端末Ｔの利用者の操作により、範囲Ｒ２内のデータ（画像データＣＡ１と文字列ＣＡ２）をレポートデータＤ５に貼付（ペースト）する。範囲Ｒ２内のデータが貼付されたレポートデータＤ５は、２次著作物コンテンツＷＢ２となる。端末Ｔは、１次著作物コンテンツＷＢ１の識別子ＷＢ１と２次著作物コンテンツＷＢ２上の画像データＣＡ１の貼付位置情報ＰＢ１とを画像データＣＡ１に関連付け、端末Ｔ内の記憶デバイスに格納する。同様に、端末Ｔは、１次著作物コンテンツＷＢ１の識別子ＷＢ１と２次著作物コンテンツＷＢ２上の文字列ＣＡ２の貼付位置情報ＰＢ２とを文字列ＣＡ２に関連付け、端末Ｔ内の記憶デバイスに格納する。これにより、１次著作物コンテンツＷＢ１の識別子ＷＢ１と貼付位置情報ＰＢ１，ＰＢ２とが関連付けられた画像データＣＡ１と文字列ＣＡ２は、２次著作物コンテンツＷＢ２の一部となる。
【００３１】
このように、端末Ｔの利用者は、範囲Ｒ２を選択した場合であっても、範囲Ｒ２内に著作物データ（画像データＣＡ１と文字列ＣＡ２）が含まれていれば、その著作物データ（画像データＣＡ１と文字列ＣＡ２）について、図１に示したように、管理することができる。すなわち、複数の著作物データ（画像データＣＡ１と文字列ＣＡ２）を別々にコピー＆ペーストする必要がないため、利便性の向上を図ることができる。
【００３２】
図５は、本実施例にかかる著作物データの活用例５を示す説明図である。活用例５は、図２において、端末Ｔ内の１次著作物コンテンツＷＡ１が利用できない場合のｎ次著作物コンテンツの再生禁止例を示す。端末Ｔ内の１次著作物コンテンツＷＡ１が端末Ｔ内から削除されたり、利用期間が満了したり、もともと端末Ｔに存在しない場合、１次著作物コンテンツＷＡ１から直接または間接的に引用された著作物データ（画像データＣＡ１）は、２次著作物コンテンツＷＡ２および３次著作物コンテンツＷＡ３において再生されない。
【００３３】
このように、１次著作物コンテンツＷＡ１が端末Ｔ内で利用できない状態の場合、ｎ次著作物コンテンツにおいて著作物データ（画像データＣＡ１）は利用できなくなるため、著作者の保護を図ることができる。
【００３４】
図６は、本実施例にかかる著作物データの活用例６を示す説明図である。活用例６は、図３において、端末Ｔ内の１次著作物コンテンツＷＡ１が利用できない場合のｎ次著作物コンテンツの再生禁止例を示す。端末Ｔ内の１次著作物コンテンツＷＡ１が端末Ｔ内から削除されたり、利用期間が満了したり、もともと端末Ｔに存在しない場合、１次著作物コンテンツＷＡ１から直接または間接的に引用された著作物データ（画像データＣＡ１）は、２次著作物コンテンツＷＡ２および３次著作物コンテンツＷＡ３において再生されない。なお、文字列３００は、著作物データではないため、２次著作物コンテンツＷＡ２および３次著作物コンテンツＷＡ３において再生される。
【００３５】
このように、１次著作物コンテンツＷＡ１が端末Ｔ内で利用できない状態の場合、ｎ次著作物コンテンツにおいて著作物データ（画像データＣＡ１）は利用できなくなるため、著作者の保護を図ることができる。
【００３６】
図７は、本実施例にかかる著作物データの活用例７を示す説明図である。活用例７は、図４において、端末Ｔ内の１次著作物コンテンツＷＢ１が利用できない場合の２次著作物コンテンツＷＢ２の再生禁止例を示す。端末Ｔ内の１次著作物コンテンツＷＢ１が端末Ｔ内から削除されたり、利用期間が満了したり、もともと端末Ｔに存在しない場合、１次著作物コンテンツＷＢ１から直接または間接的に引用された著作物データ（画像データＣＡ１と文字列ＣＡ２）は、２次著作物コンテンツＷＢ２において表示されない。
【００３７】
このように、１次著作物コンテンツＷＢ１が端末Ｔ内で利用できない状態の場合、ｎ次著作物コンテンツにおいて著作物データ（画像データＣＡ１と文字列ＣＡ２）は利用できなくなるため、著作者の保護を図ることができる。
【００３８】
＜システム構成例＞
図８は、本実施例にかかる管理システムのシステム構成例を示す説明図である。管理システム８００は、ダウンロードサーバ８０１と、１台以上の端末Ｔとが、ＬＡＮ（Ｌｏｃａｌ  Ａｒｅａ  Ｎｅｔｗｏｒｋ），ＷＡＮ（Ｗｉｄｅ  Ａｒｅａ  Ｎｅｔｗｏｒｋ），インターネットなどのネットワーク８１０を介して通信可能に接続される構成である。
【００３９】
ダウンロードサーバ８０１は、データベース（ＤＢ）８０２を有する。ＤＢ８０２には、１次著作物コンテンツＷＡ１，ＷＢ１，…（以下、総称して、Ｗ１）が格納される。ダウンロードサーバ８０１は、１次著作物コンテンツＷ１の各々に固有の識別子を付与する。
【００４０】
端末Ｔは、プロセッサ８１１と、記憶デバイス８１２と、入力デバイス８１３と、出力デバイス８１４と、通信インターフェース（通信ＩＦ８１５）と、を有する。プロセッサ８１１、記憶デバイス８１２、入力デバイス８１３、出力デバイス８１４、および通信ＩＦ８１５は、バス８１６により接続される。プロセッサ８１１は、端末Ｔを制御する。記憶デバイス８１２は、プロセッサ８１１の作業エリアとなる。また、記憶デバイス８１２は、各種プログラムやデータを記憶する非一時的なまたは一時的な記録媒体である。記憶デバイス８１２としては、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリがある。入力デバイス８１３は、データを入力する。入力デバイス８１３としては、たとえば、キーボード、マウス、タッチパネル、テンキー、スキャナがある。出力デバイス８１４は、データを出力する。出力デバイス８１４としては、たとえば、ディスプレイ、プリンタがある。通信ＩＦ８１５は、ネットワーク８１０と接続し、データを送受信する。
【００４１】
ここで、記憶デバイス８１２内に記憶されるデータについて詳細に説明する。記憶デバイス８１２には、ＯＳ（Ｏｐｅｒａｔｉｎｇ  Ｓｙｓｔｅｍ）８２１と、確認アプリケーション８２２と、再生アプリケーション８２３と、設定アプリケーション８２４と、が格納される。確認アプリケーション８２２再生アプリケーション８２３および設定アプリケーション８２４は、ＯＳ８２１上で動作するアプリケーションプログラムである。
【００４２】
確認アプリケーション８２２は、ｎ次著作物コンテンツに含まれる著作物データの引用元となる著作物コンテンツの確認処理をプロセッサ８１１に実行させるアプリケーションプログラムである。確認アプリケーション８２２の詳細は、図９で説明する。
【００４３】
再生アプリケーション８２３は、再生指示があったｎ次著作物コンテンツの再生処理をプロセッサ８１１に実行させるアプリケーションプログラムである。再生アプリケーション８２３の詳細は、図１０で説明する。
【００４４】
設定アプリケーション８２４は、新規作成中または編集中のレポートデータに、著作物データを貼付して、ｎ次著作物コンテンツの作成または編集処理を、プロセッサ８１１に実行させるアプリケーションプログラムである。設定アプリケーション８２４の詳細は、図１１で説明する。
【００４５】
また、記憶デバイス８１２には、複製された１次著作物コンテンツＷ１や、作成または外部から取得されたｎ次著作物コンテンツＷＡ２，ＷＡ３，ＷＢ２，…（以下、総称してＷｎ）が格納される。１次著作物コンテンツＷ１は、データ領域８３１と識別子保存領域８３２を有する。データ領域８３１には、画像データＣＡ１などの著作物データが格納され、識別子保存領域８３２には、１次著作物コンテンツＷ１に固有な識別子が格納される。
【００４６】
また、ｎ次著作物コンテンツＷｎも、データ領域８３１と識別子保存領域８３２を有する。データ領域８３１には、引用した著作物データや作成・編集したデータが格納される。また、識別子保存領域８３２には、引用した著作物データの引用先となる１次著作物コンテンツＷ１に固有な識別子と当該識別子に関連付けられる位置情報が格納される。位置情報は、引用した著作物データが、引用先となる１次著作物コンテンツＷ１に設定された位置を示す情報である。位置情報の設定については図１１で説明する。
【００４７】
なお、識別子保存領域８３２の先頭アドレスには識別子が格納されないものとする。あるいは、識別子保存領域８３２の先頭アドレスにはそのｎ次著作物コンテンツＷｎが１次著作物コンテンツＷ１ではないことを示す情報が格納されてもよい。当該情報は、ｎ次著作物コンテンツＷｎが作成される際に設定アプリケーション８２４により付与されるものとする。
【００４８】
＜引用元著作物コンテンツの確認処理手順例＞
図９は、引用元著作物コンテンツの確認処理手順例を示すフローチャートである。図９のフローチャートは、確認アプリケーション８２２による実行処理手順例である。まず、プロセッサ８１１は、端末Ｔの利用者の操作により、著作物コンテンツが再生選択されるのを待ち受ける（ステップＳ９０１：Ｎｏ）。著作物コンテンツが再生選択された場合（ステップＳ９０１：Ｙｅｓ）、プロセッサ８１１は、選択著作物コンテンツが１次著作物コンテンツＷ１であるか否かを判断する（ステップＳ９０２）。たとえば、選択著作物コンテンツの識別子保存領域８３２の先頭アドレスを確認することで判断することができる。
【００４９】
ステップＳ９０２において、選択著作物コンテンツが１次著作物コンテンツＷ１であると判断された場合（ステップＳ９０２：Ｙｅｓ）、プロセッサ８１１は、選択１次著作物コンテンツＷ１が有効であるか否かを判断する（ステップＳ９０３）。たとえば、選択１次著作物コンテンツＷ１が記憶デバイス８１２に存在しない場合、プロセッサ８１１は有効でないと判断する。また、利用期限が満了している場合も、プロセッサ８１１は有効でないと判断する。また、利用者に選択１次著作物コンテンツＷ１に対するアクセス権限がない場合も、プロセッサ８１１は有効でないと判断する。たとえば、アクセス権限として利用者の年齢が設定されている場合、プロセッサ８１１は、利用者情報を参照し、当該年齢に該当しない利用者にはアクセス権限がないと判断する。
【００５０】
有効でないと判断された場合（ステップＳ９０３：Ｎｏ）、プロセッサ８１１は、その旨のエラーダイアログを表示する（ステップＳ９０４）。これにより、確認処理を終了する。
【００５１】
一方、有効であると判断された場合（ステップＳ９０３：Ｙｅｓ）、プロセッサ８１１は、選択１次著作物コンテンツＷ１の再生指示を再生アプリケーション８２３に送信する（ステップＳ８９０５）。これにより、確認処理を終了する。
【００５２】
また、ステップＳ９０２において、選択著作物コンテンツがｎ次著作物コンテンツＷｎであると判断された場合（ステップＳ９０２：Ｎｏ）、プロセッサ８１１は、選択ｎ次著作物コンテンツＷｎの識別子保存領域８３２（先頭アドレスを除く）から識別子を取得する（ステップＳ９０６）。そして、プロセッサ８１１は、取得した識別子の中に未選択の識別子があるか否かを判断する（ステップＳ９０７）。未選択の識別子がある場合（ステップＳ９０７：Ｙｅｓ）、プロセッサ８１１は、未選択の識別子を１つ選択し（ステップＳ９０８）、当該選択識別子と一致する識別を有する１次著作物コンテンツＷ１が記憶デバイス８１２に有効に存在するか否かを判断する（ステップＳ９０９）。
【００５３】
たとえば、一致する識別子を有する１次著作物コンテンツＷ１が記憶デバイス８１２に存在しない場合、プロセッサ８１１は有効に存在しないと判断する。また、利用期限が満了している場合も、プロセッサ８１１は有効に存在しないと判断する。また、１次著作物コンテンツＷ１に対し利用者がアクセス権限がない場合も、プロセッサ８１１は有効に存在しないと判断する。
【００５４】
一致する識別子を有する１次著作物コンテンツＷ１が有効に存在する場合（ステップＳ９０９：Ｙｅｓ）、ステップＳ９０７に戻り、プロセッサ８１１は、未選択の識別子の再選択を試行する。
【００５５】
一方、一致する識別子を有する１次著作物コンテンツＷ１が有効に存在しない場合（ステップＳ９０９：Ｎｏ）、プロセッサ８１１は、未選択の識別子をメモリに保存して（ステップＳ９１０）、ステップＳ９０７に戻り、プロセッサ８１１は、未選択の識別子の再選択を試行する。これにより、再生禁止対象となる識別子を特定することができる。
【００５６】
ステップＳ９０７において、未選択の識別子がない場合（ステップＳ９０７：Ｎｏ）、プロセッサ８１１は、選択ｎ次著作物コンテンツＷｎの再生指示およびメモリに保存された識別子を再生アプリケーション８２３に送信する（ステップＳ９１１）。これにより、確認処理を終了する。
【００５７】
なお、記憶デバイス８１２から消去された１次著作物コンテンツＷ１や利用期限が満了した１次著作物コンテンツＷ１については、ステップＳ９０１において選択できないこととしてもよい。具体的には、消去または利用期限の満了時点で、当該１次著作物コンテンツへのアクセスができないように設定されることとしてもよい。
【００５８】
＜再生選択著作物コンテンツの再生処理手順例＞
図１０は、再生選択著作物コンテンツの再生処理手順例を示すフローチャートである。図１０のフローチャートは、再生アプリケーション８２３による実行処理手順例である。まず、プロセッサ８１１は、再生指示を待ち受け（ステップＳ１００１：Ｎｏ）、確認アプリケーション８２２からの再生指示があった場合（ステップＳ１００１：Ｙｅｓ）、プロセッサ８１１は、当該再生指示が選択１次著作物コンテンツＷ１の再生指示であるか否かを判断する（ステップＳ１００２）。
【００５９】
選択１次著作物コンテンツＷ１の再生指示である場合（ステップＳ１００２：Ｙｅｓ）、プロセッサ８１１は、記憶デバイス８１２内の選択１次著作物コンテンツＷ１をメモリにロードし（ステップＳ１００３）、選択１次著作物コンテンツＷ１を再生する（ステップＳ１００４）。これにより、再生処理を終了する。
【００６０】
一方、ステップＳ１００２において、選択１次著作物コンテンツＷ１の再生指示でない場合（ステップＳ１００２：Ｎｏ）、すなわち、選択ｎ次著作物コンテンツＷｎの再生指示である場合、プロセッサ８１１は、不一致識別子があるか否かを判断する（ステップＳ１００５）。不一致識別子とは、ステップＳ９１０でメモリに保存され、かつ、ステップＳ９１１で選択ｎ次著作物コンテンツＷｎの再生指示とともに再生アプリケーション８２３に送信されてくる識別子である。
【００６１】
不一致識別子がない場合（ステップＳ１００５：Ｎｏ）、ステップＳ１００７に移行する。一方、不一致識別子がある場合（ステップＳ１００５：Ｙｅｓ）、プロセッサ８１１は、エラーダイアログを表示して（ステップＳ１００６）、ステップＳ１００６に移行する。このエラーダイアログは、選択ｎ次著作物コンテンツＷｎ内の著作物データの引用元となる１次著作物コンテンツＷ１が、端末Ｔ内で有効に存在しないことを示す警告情報である。
【００６２】
このあと、プロセッサ８１１は、選択ｎ次著作物コンテンツＷｎをメモリにロードし（ステップＳ１００７）、不一致識別子が存在する場合には、不一致識別子と一致する識別子を有する引用著作物データを、メモリにロードされた選択ｎ次著作物コンテンツＷｎから特定する（ステップＳ１００８）。たとえば、不一致識別子がＷＡ１であり、選択ｎ次著作物コンテンツＷｎがＷＡ２であるとする。２次著作物コンテンツＷＡ２がメモリにロードされると、２次著作物コンテンツＷＡ２内において、不一致識別子ＷＡ１と一致する識別子を有する引用著作物データである画像データＣＡ１が特定される。
【００６３】
そして、プロセッサ８１１は、特定した引用著作物データに対し再生禁止設定をする（ステップＳ１００９）。具体的には、たとえば、プロセッサ８１１は、メモリにロードされた選択ｎ次著作物コンテンツＷｎから、特定した引用著作物データを削除したり、画像処理により非表示にする。音声であればミュートに変更不能に設定する。上記の例では、メモリにロードされた２次著作物コンテンツＷＡ２内の画像データＣＡ１が再生禁止設定される。なお、ロード元の選択ｎ次著作物コンテンツＷｎ内の特定した引用著作物データに対しては、再生禁止設定されない。
【００６４】
このあと、プロセッサ８１１は、選択ｎ次著作物コンテンツＷｎを再生する（ステップＳ１０１０）。端末Ｔは、再生禁止設定された著作物データ以外のデータについて再生することができる。これにより、再生処理を終了する。
【００６５】
＜ｎ次著作物コンテンツの作成処理手順例＞
図１１は、ｎ次著作物コンテンツの作成処理手順例を示すフローチャートである。図１１のフローチャートは、設定アプリケーション８２４による実行処理手順例である。まず、プロセッサ８１１は、端末Ｔの利用者の操作により発生するイベントが検出されるのを待ち受ける（ステップＳ１１０１：Ｎｏ）。イベントはＯＳ８２１に渡さずに、設定アプリケーション８２４により検出される。イベントが検出された場合（ステップＳ１１０１：Ｙｅｓ）、プロセッサ８１１は、イベントの種類を特定する（ステップＳ１１０２）。
【００６６】
特定されたイベントの種類が、複製、切り取り（カット）、または、画面キャプチャである場合（ステップＳ１１０２：複製、切り取り、または、画面キャプチャ）、プロセッサ８１１は、イベント検出元の著作物データに付与された識別子を取得し（ステップＳ１１０３）、ステップＳ１１０１に戻る。たとえば、著作物データである画像データＣＡ１に対して複製イベントが検出された場合には、プロセッサ８１１は、画像データＣＡ１に付与された引用元の１次著作物コンテンツＷＡ１の識別子ＷＡ１を画像データＣＡ１から取得する。なお、引用元が１次著作物コンテンツＷ１である場合、１次著作物コンテンツＷ１は改変不可であるため、切り取りイベントは拒否される。
【００６７】
また、イベントの種類が貼り付け（ペースト）である場合（ステップＳ１１０２：ペースト）、プロセッサ８１１は、イベント検出元の著作物データを貼付先に貼付する（ステップＳ１１０４）。貼付先は、現在オープンしている新規作成中または編集中のレポートデータでもよく、編集中のｎ次著作物コンテンツＷｎでもよい。なお、レポートデータは、著作物データの貼付によりｎ次著作物コンテンツＷｎとなる。貼付された著作物データは、貼付先となるｎ次著作物コンテンツＷｎのデータ領域８３１に保存される。
【００６８】
このあと、プロセッサ８１１は、貼付した著作物データに、ステップＳ１１０３で取得した識別子と貼付先上での著作物データの位置情報を関連付ける（ステップＳ１１０５）。当該識別子および位置情報は、貼付先のｎ次著作物コンテンツＷｎの識別子保存領域８３２に保存される。貼付された著作物データは、識別子と位置情報の組み合わせにより特定される。これにより、作成処理を終了する。
【００６９】
＜画面表示例＞
図１２は、本実施例を適用した画面表示例を示す説明図である。図１２は、端末Ｔに図４に示した１次著作物コンテンツＷＢ１が表示された例である。なお、画面１２００上の１次著作物ボタンは、1次著作物コンテンツを呼び出すボタンであり、２次著作物ボタンは、それぞれ新規作成中または編集中のレポートデータ（またはｎ次著作物コンテンツ）を呼び出すボタンである。たとえば、１次著作物コンテンツＷＢ１の表示中に利用者の操作により範囲Ｒ２が選択され、コピーアイコンが選択されたとする。これにより、範囲Ｒ２内の著作物データ（画像データＣＡ１と文字列ＣＡ２）と引用元の１次著作物コンテンツＷＢ１の識別子ＷＢ１がメモリに一時保存される。
【００７０】
そして、たとえば、２次著作物ボタンが押下されると、２次著作物ボタンに関連付けられたレポートデータ（またはｎ次著作物コンテンツＷｎ）が画面１２００に呼び出される。利用者の操作により、レポートデータ（またはｎ次著作物コンテンツＷｎ）上で貼付位置が選択されてペーストアイコンが押下されると、当該貼付位置に、範囲Ｒ２内の著作物データ（画像データＣＡ１と文字列ＣＡ２）が貼付される。たとえば、当該貼付されることで、貼付先のレポートデータは、２次著作物コンテンツＷＢ２となる。
【００７１】
なお、上述した実施例において、利用者の操作により、一部の文字列を範囲選択することができる。また、画像データの一部を範囲選択することもできる。また、映像データや音声データの一部を範囲選択することもできる。具体的には、たとえば、映像データや音声データの場合、貼付したい一部の再生区間を選択することになる。なお、音声データが貼付される場合、音声データを示すアイコンが貼付先で表示される。利用者は、アイコンを選択することが当該音声データを再生することができる。
【００７２】
このように、本実施例によれば、作成中または編集中のデータは、著作物データが設定されることにより、ｎ次著作物コンテンツとなる。端末Ｔは、端末Ｔの記憶デバイス８１２内に、ｎ次著作物コンテンツに設定された著作物データの引用元となる１次著作物コンテンツが有効に存在する限り、ｎ次著作物コンテンツを再生する場合に当該著作物データも再生することができる。すなわち、１次著作物コンテンツの利用者にとっても、煩雑な利用手続きが不要となるため、利用者の利便性の向上を図ることができる。また、１次著作物コンテンツが存在しない端末Ｔでは、ｎ次著作物コンテンツ内の著作物データは再生されることはないため、１次著作物コンテンツの著作者の利益保護を容易に図ることができる。
【００７３】
また、１次著作物コンテンツ内の選択範囲内に著作物データと非著作物データが混在する場合でも、それぞれ別々にコピー（カットまたは画面キャプチャ）＆ペーストする必要がなく、著作物データについて上述した設定をおこなうことができる。したがって、利用者の利便性の向上を図ることができる。
【００７４】
また、１次著作物コンテンツ内の選択範囲内に複数の著作物データが含まれている場合、著作物データの各々に上述した設定をおこなうことができる。すなわち、複数の著作物データを別々にコピー（カットまたは画面キャプチャ）＆ペーストする必要がないため、利便性の向上を図ることができる。
（付記１）  また、情報処理装置は、プログラムを実行するプロセッサと、前記プログラムを記憶する記憶デバイスと、を有する情報処理装置であって、前記記憶デバイスは、固有の識別子を有する１次著作物コンテンツ内の著作物データを有する特定の著作物コンテンツを記憶し、前記プロセッサは、前記著作物データを前記特定の著作物コンテンツから取得する第１のイベントを検出する第１の検出処理と、前記第１の検出処理によって前記第１のイベントが検出された場合、前記著作物データおよび前記識別子を取得する取得処理と、前記情報処理装置で作成中または編集中のデータに前記著作物データを設定する第２のイベントを検出する第２の検出処理と、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付ける関連付け処理と、を実行することとしてもよい。
（付記２）  付記１の情報処理装置において、前記特定の著作物コンテンツは、前記１次著作物コンテンツではないｎ次（ｎは２以上の整数）著作物コンテンツであり、前記第１の検出処理では、前記プロセッサは、前記著作物データおよび前記特定の著作物コンテンツ内の非著作物データを、前記特定の著作物コンテンツから取得する第１のイベントを検出し、前記情報処理装置で作成中または編集中のデータに前記著作物データおよび前記非著作物データを設定する第２のイベントを検出する第２の検出処理と、前記関連付け処理では、前記プロセッサは、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付けることとしてもよい。
（付記３）  付記１の情報処理装置において、前記第１の検出処理では、前記プロセッサは、複数の前記著作物データを前記特定の著作物コンテンツから取得する第１のイベントを検出し、前記関連付け処理では、前記プロセッサは、前記作成中または編集中のデータに設定された前記複数の著作物データの各々について、前記識別子と前記作成中または編集中のデータ上での前記著作物データの設定位置情報とを関連付けることとしてもよい。
（付記４）  また、情報処理装置は、プログラムを実行するプロセッサと、前記プログラムを記憶する記憶デバイスと、を有する情報処理装置であって、前記記憶デバイスは、固有の識別子を有する１次著作物コンテンツと、前記１次著作物コンテンツ内の著作物データおよび前記識別子を有するｎ次（ｎは２以上の整数）著作物コンテンツと、のうち少なくとも前記ｎ次著作物コンテンツを記憶し、前記プロセッサは、前記ｎ次著作物コンテンツを再生対象として選択する選択処理と、前記選択処理によって選択された前記ｎ次著作物コンテンツから、前記識別子を取得する取得処理と、前記取得処理によって取得された識別子に一致する識別子を有する１次著作物コンテンツが前記記憶デバイスに有効に存在するか否かを判断する判断処理と、前記判断処理によって有効に存在しないと判断された識別子に関連付けられている著作物データを再生禁止に設定する設定処理と、前記ｎ次著作物コンテンツのうち、前記設定処理によって再生禁止に設定された著作物データ以外のデータを再生する再生処理と、を実行することとしてもよい。
（付記５）  付記４の情報処理装置において、前記判断処理では、前記プロセッサは、前記一致する識別子を有する１次著作物コンテンツが前記記憶デバイスから消去されている場合、前記１次著作物コンテンツの利用期間が満了している場合、または、前記情報処理装置の利用者に前記１次著作物コンテンツへのアクセス権限がない場合に、前記記憶デバイスに有効に存在しないと判断することとしてもよい。
（付記６）  また、プログラムを実行するプロセッサと、前記プログラムを記憶する記憶デバイスと、を有する情報処理装置による設定方法では、前記記憶デバイスは、固有の識別子を有する１次著作物コンテンツ内の著作物データを有する特定の著作物コンテンツを記憶し、前記プロセッサは、前記著作物データを前記特定の著作物コンテンツから取得する第１のイベントを検出する第１の検出処理と、前記第１の検出処理によって前記第１のイベントが検出された場合、前記著作物データおよび前記識別子を取得する取得処理と、前記情報処理装置で作成中または編集中のデータに前記著作物データを設定する第２のイベントを検出する第２の検出処理と、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付ける関連付け処理と、を実行することとしてもよい。
（付記７）  また、プログラムを実行するプロセッサと、前記プログラムを記憶する記憶デバイスと、を有する情報処理装置による再生方法では、前記記憶デバイスは、固有の識別子を有する１次著作物コンテンツと、前記１次著作物コンテンツ内の著作物データおよび前記識別子を有するｎ次著作物コンテンツと、のうち少なくとも前記ｎ次著作物コンテンツを記憶し、前記プロセッサは、前記ｎ次著作物コンテンツを再生対象として選択する選択処理と、前記選択処理によって選択された前記ｎ次著作物コンテンツから、前記識別子を取得する取得処理と、前記取得処理によって取得された識別子に一致する識別子を有する１次著作物コンテンツが前記記憶デバイスに有効に存在するか否かを判断する判断処理と、前記判断処理によって有効に存在しないと判断された識別子に関連付けられている著作物データを再生禁止に設定する設定処理と、前記ｎ次著作物コンテンツのうち、前記設定処理によって再生禁止に設定された著作物データ以外のデータを再生する再生処理と、を実行することとしてもよい。
（付記８）  また、設定プログラムは、固有の識別子を有する１次著作物コンテンツ内の著作物データを有する特定の著作物コンテンツを記憶する記憶デバイスにアクセス可能なプロセッサに、前記著作物データを前記特定の著作物コンテンツから取得する第１のイベントを検出する第１の検出処理と、前記第１の検出処理によって前記第１のイベントが検出された場合、前記著作物データおよび前記識別子を取得する取得処理と、作成中または編集中のデータに前記著作物データを設定する第２のイベントを検出する第２の検出処理と、前記第２の検出処理によって前記第２のイベントが検出された場合、前記作成中または編集中のデータに設定された前記著作物データに、前記識別子と前記作成中または編集中のデータ上での前記著作物データの設定位置情報とを関連付ける関連付け処理と、を実行させることとしてもよい。
（付記９）  また、再生プログラムは、固有の識別子を有する１次著作物コンテンツと、前記１次著作物コンテンツ内の著作物データおよび前記識別子を有するｎ次著作物コンテンツと、のうち少なくとも前記ｎ次著作物コンテンツを記憶する記憶デバイスにアクセス可能なプロセッサに、前記ｎ次著作物コンテンツを再生対象として選択する選択処理と、前記選択処理によって選択された前記ｎ次著作物コンテンツから、前記識別子を取得する取得処理と、前記取得処理によって取得された識別子に一致する識別子を有する１次著作物コンテンツが前記記憶デバイスに有効に存在するか否かを判断する判断処理と、前記判断処理によって有効に存在しないと判断された識別子に関連付けられている著作物データを再生禁止に設定する設定処理と、前記ｎ次著作物コンテンツのうち、前記設定処理によって再生禁止に設定された著作物データ以外のデータを再生する再生処理と、を実行させることとしてもよい。
【００７５】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００７６】
また、前述した各構成、機能、処理部、処理手段等は、それらの一部又は全部を、例えば集積回路で設計する等により、ハードウェアで実現してもよく、プロセッサ８１１がそれぞれの機能を実現するプログラムを解釈し実行することにより、ソフトウェアで実現してもよい。
【００７７】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【００７８】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【００７９】
８００  管理システム
８０１  ダウンロードサーバ
８２２  確認アプリケーション
８２３  再生アプリケーション
８２４  設定アプリケーション
【図１】
0006360763.tif 000002
【図２】
0006360763.tif 000003
【図３】
0006360763.tif 000004
【図４】
0006360763.tif 000005
【図５】
0006360763.tif 000006
【図６】
0006360763.tif 000007
【図７】
0006360763.tif 000008
【図８】
0006360763.tif 000009
【図９】
0006360763.tif 000010
【図１０】
0006360763.tif 000011
【図１１】
0006360763.tif 000012
【図１２】
0006360763.tif 000013